(57)【要約】  発明はスマートマルチカードを利用したモバイル決済方法およびスマートマルチカード用アプリケーションに関するものである。本発明の一実施例に係るスマートマルチカードを利用したモバイル決済方法はスマートマルチカードのカード情報を保存する段階；使用者端末機を通じて注文された商品の注文情報を収集する段階；前記スマートマルチカードに含まれた複数のカードのうち前記注文情報に適合した推薦カードを選定する段階；および 前記推薦カードのカード情報を前記スマートマルチカードに伝送する段階を含む、スマートマルチカードを利用したモバイル決済方法。
2017535885.tif 000002
【特許請求の範囲】
【請求項１】
スマートマルチカードのカード情報を保存する段階；
使用者端末機を通じて注文された商品の注文情報を収集する段階；
前記スマートマルチカードに含まれた複数のカードのうち前記注文情報に適合した推薦カードを選定する段階；および
前記推薦カードのカード情報を前記スマートマルチカードに伝送する段階を含む、スマートマルチカードを利用したモバイル決済方法。
【請求項２】
前記推薦カードを選定する段階は
前記注文情報と関連したイベント情報をマーケットサーバーから受信する段階；
前記スマートマルチカードのカード使用実績情報を金融機関のサーバーから受信する段階；
前記イベント情報から獲得された割引率および 積み立て率のうち少なくとも一つに基づいて前記推薦カードを選定する段階；および 
前記割引率および 前記積み立て率のうち少なくとも一つに基づいて選定された推薦カードが複数個である場合、前記カード使用実績情報に基づいて前記複数個の推薦カードのうち一つの推薦カードを選定する段階を含む、請求項１に記載のスマートマルチカードを利用したモバイル決済方法。
【請求項３】
前記推薦カードを選定する段階は
前記注文情報が複数収集された場合、各注文情報別に推薦カードを選定する段階を含む、請求項１に記載のスマートマルチカードを利用したモバイル決済方法。
【請求項４】
前記複数の注文情報を含む注文情報目録を表示する段階；および
前記注文情報目録で所定注文情報が選択される場合、前記選択された注文情報に対応する推薦カードのカード情報を前記スマートマルチカードに伝送する段階をさらに含む、請求項３に記載のスマートマルチカードを利用したモバイル決済方法。
【請求項５】
前記選択された注文情報に対応する推薦カードのカード情報は既保存された暗号化キーを利用して暗号化された後前記スマートマルチカードに伝送され、
前記暗号化キーは前記スマートマルチカードの発行を受けた金融機関のサーバーから受信される、請求項４に記載のスマートマルチカードを利用したモバイル決済方法。
【請求項６】
前記スマートマルチカードとのデータ送受信のための無線通信方式を決定する段階；
前記スマートマルチカードから暗号化された使用者認証情報を受信する段階；
前記暗号化された使用者認証情報と既保存された使用者認証情報に基づいて使用者認証を遂行する段階；
前記使用者認証に成功する場合、決済に使うカードのカード情報を前記スマートマルチカードに要請する段階；
前記スマートマルチカードから暗号化された前記推薦カードのカード情報を受信する段階；および
前記暗号化された推薦カードのカード情報に基づいて決済処理を遂行する段階をさらに含む、請求項１に記載のスマートマルチカードを利用したモバイル決済方法。
【請求項７】
無線通信方式を決定する段階は
第１無線通信方式が活性化状態である場合、前記スマートマルチカードから受信した無線信号の強度に基づいて前記スマートマルチカードとの距離を計算する段階；
前記計算された距離が基準距離以内である場合、前記第１無線通信方式を活性化状態に維持する段階；および
前記計算された距離が前記基準距離を超過する場合、前記第１無線通信方式を非活性化し、第２無線通信方式を活性化する段階を含む、請求項６に記載のスマートマルチカードを利用したモバイル決済方法。
【請求項８】
使用者認証を遂行する段階は
前記暗号化された使用者認証情報を既保存された復号化キーを利用して解読する段階；
復号化された使用者認証情報と前記既保存された使用者情報が一致する場合、前記使用者認証に成功したと判断する段階；および
前記復号化に失敗するか前記復号化された使用者認証情報と前記既保存された使用者情報が一致しない場合、前記使用者認証に失敗したと判断する段階を含むものの、
前記復号化キーは金融機関のサーバーから受信される、請求項６に記載のスマートマルチカードを利用したモバイル決済方法。
【請求項９】
前推薦カード情報は前記スマートマルチカードにロードされる、請求項６に記載のスマートマルチカードを利用したモバイル決済方法。
【請求項１０】
請求項１〜請求項９のいずれか一項に記載されたスマートマルチカードを利用したモバイル決済方法を実行するための、コンピュータプログラム。
【発明の詳細な説明】
【技術分野】
【０００１】
本発明はスマートマルチカードを利用したモバイル決済方法および スマートマルチカード用アプリケーションに関するもので、より詳細にはモバイル決済時に使うカードを自動で推薦するスマートマルチカードを利用したモバイル決済方法および スマートマルチカード用アプリケーションに関するものである。
【背景技術】
【０００２】
現代社会の産業化以後、急激な情報化、信用化を経ながらクレジットカードは貨幣に次ぐほどその活用度が高まっている。これに伴い、一般成人が所持しているクレジットカードの数も大きく増加し、個人別に、少なくとも２〜３枚から多い場合は、１０枚以上も保有、活用する場合が多くなってきた。 
【０００３】
また、マーケティングが活性化されるにつれて、Ｂ２Ｃを基盤とする多くの企業では多様なポイントカードの発行が必須のマーケティング項目となり、もはや路地商圏に位置した小規模の店舗においても売り上げ増加のために一般的に活用する手段となった。これに伴い、個人に発行されたカードは自分も知らないうちに数十枚にも上っているのが現状である。 
【０００４】
しかし、多くの場合、不要な発行費用だけが発生し、廃棄されて社会的費用を発生させているのも現実である。さらに、再訪問の頻度が高くない店舗のポイントカード、割引カードは、実際に訪問した時に所持しておらず、活用できない場合が日常的に発生している。このような現象は、消費者の立場では煩雑で複雑なカード管理によるカード発行の回避をもたらし、企業の立場では不要なマーケティング費用をもたらす、需要−供給すべての面において、無駄遣いと不合理をもたらしてしまう。 
【０００５】
実際のポイントカードと比べて相対的に活用度が高いと判断されるクレジットカードの場合においても、２００１年に１人当たり４枚に増加した後、クレジットカード流動性リスク以降しばらく停滞していたクレジットカード保有量は持続的に増加して２０１１年基準１人当たり４．９枚、全体の発行枚数は約１億２，２１３万枚に上っている。
【０００６】
一方、カードの発行枚数は持続的に増加してきているものの、実際に使われているカードは個人当たり１．４枚に過ぎない。結果的に個人が所持しているクレジットカードのほとんどが休眠カードとなり、約２，０００万枚以上（約４００億ウォン以上）は捨てられているのが現状である。
【０００７】
これに加え、デビットカードやチェックカード、キャッシュカード、プリペイドカードなどの多様な貨幣代用カードやポイントカード、割引カードなどのマーケティング目的のカードを含む場合、実に天文学的な費用が無駄遣いされているといっても過言ではないだろう。
【０００８】
このように、多くのカードを保有している状態で決済をしようとする場合、使用者は自分が所持しているカードの中から決済に使うカードを毎度直接探さなければならない不都合な点がある。また、使用者はスマートフォンなどの使用者端末機を利用したモバイル決済時、多くのカードの中から使うカードを選択してカード情報（例えば、カード番号、有効期間、カードセキュリティーコード）を直接入力しなければならない不都合な点がある。また、カード情報を使用者端末機に入力する過程でカード情報が他人に露出する恐れがある。
【発明の概要】
【発明が解決しようとする課題】
【０００９】
複数個のカード情報を含むスマートマルチカードを利用してモバイル決済を遂行する時、決済に使うカードを自動で推薦するスマートマルチカードを利用したモバイル決済方法およびスマートマルチカード用アプリケーションが開示される。
【課題を解決するための手段】
【００１０】
本発明の一実施例に係るスマートマルチカードを利用したモバイル決済方法はスマートマルチカードのカード情報を保存する段階；使用者端末機を通じて注文された商品の注文情報を収集する段階；前記スマートマルチカードに含まれた複数のカードのうち前記注文情報に適合した推薦カードを選定する段階；および 前記推薦カードのカード情報を前記スマートマルチカードに伝送する段階を含む、スマートマルチカードを利用したモバイル決済方法。
【００１１】
前記推薦カードを選定する段階は前記注文情報と関連したイベント情報をマーケットサーバーから受信する段階；前記スマートマルチカードのカード使用実績情報を金融機関のサーバーから受信する段階；前記イベント情報から獲得された割引率および 積み立て率のうち少なくとも一つに基づいて前記推薦カードを選定する段階；および 前記割引率および 前記積み立て率のうち少なくとも一つに基づいて選定された推薦カードが複数個である場合、前記カード使用実績情報に基づいて前記複数個の推薦カードのうち一つの推薦カードを選定する段階を含むスマートマルチカードを利用したモバイル決済方法。
【００１２】
前記推薦カードを選定する段階は前記注文情報が複数収集された場合、前記各注文情報別に推薦カードを選定する段階を含むスマートマルチカードを利用したモバイル決済方法。
【００１３】
前記複数の注文情報を含む注文情報目録を表示する段階；および前記注文情報目録で所定注文情報が選択される場合、前記選択された注文情報に対応する推薦カードのカード情報を前記スマートマルチカードに伝送する段階をさらに含むスマートマルチカードを利用したモバイル決済方法。
【００１４】
前記選択された注文情報に対応する推薦カードのカード情報は既保存された暗号化キーを利用して暗号化された後前記スマートマルチカードに伝送され、前記暗号化キーは前記スマートマルチカードの発行を受けた金融機関のサーバーから受信されるスマートマルチカードを利用したモバイル決済方法。
【００１５】
前記スマートマルチカードとのデータ送受信のための無線通信方式を決定する段階；前記スマートマルチカードから暗号化された使用者認証情報を受信する段階；前記暗号化された使用者認証情報と既保存された使用者認証情報に基づいて使用者認証を遂行する段階；前記使用者認証に成功する場合、決済に使うカードのカード情報を前記スマートマルチカードに要請する段階；前記スマートマルチカードから暗号化された前記推薦カードのカード情報を受信する段階；および前記暗号化された推薦カードのカード情報に基づいて決済処理を遂行する段階をさらに含むスマートマルチカードを利用したモバイル決済方法。
【００１６】
無線通信方式を決定する段階は第１無線通信方式が活性化状態である場合、前記スマートマルチカードから受信した無線信号の強度に基づいて前記スマートマルチカードとの距離を計算する段階；前記計算された距離が基準距離以内である場合、前記第１無線通信方式を活性化状態に維持する段階；および前記計算された距離が前記基準距離を超過する場合、前記第１無線通信方式を非活性化し、第２無線通信方式を活性化する段階を含む、スマートマルチカードを利用したモバイル決済方法。
【００１７】
使用者認証を遂行する段階は前記暗号化された使用者認証情報を既保存された復号化キーを利用して解読する段階；前記復号化された使用者認証情報と前記既保存された使用者情報が一致する場合、前記使用者認証に成功したと判断する段階；および前記復号化に失敗するか前記復号化された使用者認証情報と前記既保存された使用者情報が一致しない場合、前記使用者認証に失敗したと判断する段階を含むものの、前記復号化キーは金融機関のサーバーから受信される、スマートマルチカードを利用したモバイル決済方法。
【００１８】
前記推薦カード情報は前記スマートマルチカードにロードされる、スマートマルチカードを利用したモバイル決済方法。
【発明の効果】
【００１９】
複数のカードに対するカード情報が保存されたスマートマルチカードを利用してオフラインモバイル決済やオンラインモバイル決済を遂行しようとする場合、決済に適合したカードが自動で推薦されてスマートマルチカードにロードされるので、使用者の便宜性が向上する。
【００２０】
スマートマルチカードを利用してオンラインモバイル決済を遂行しようとする場合、スマートマルチカードと使用者端末機間の無線通信方式を決定し、決定された無線通信方式により使用者認証情報および／またはカード情報を交換することによって、スマートマルチカードと使用者端末機間に送受信されるデータの安全性を確保することができる。
【００２１】
スマートマルチカードと使用者端末機間に送受信される使用者認証情報および／またはカード情報が暗号化された状態で送受信されるため、使用者がスマートマルチカードを紛失した場合にも、スマートマルチカードが他の使用者によって使われることを防止することができる。
【００２２】
使用者端末機に決済に使うカードのカード情報を一一入力する必要がないので使用者の便宜性が向上し、カード情報が他人に露出されることを防止することができる。
【図面の簡単な説明】
【００２３】
【図１】本発明の一実施例に係るスマートマルチカードを利用したモバイル決済システム１の構成を図示した図面である。
【図２】本発明の一実施例に係る使用者端末機の構成を図示した図面である。
【図３】本発明の一実施例に係るスマートマルチカードの構成を図示した図面である。
【図４】本発明の一実施例に係るスマートマルチカードの外観を例示した図面である。
【図５】本発明の一実施例に係るスマートマルチカードを利用したモバイル決済方法を図示したフローチャートである。
【図６】本発明の一実施例に係るスマートマルチカードを利用したモバイル決済方法を図示したフローチャートである。
【図７】本発明の他の実施例に係るスマートマルチカードを利用したモバイル決済方法を図示したフローチャートである
【図８】本発明の他の実施例に係るスマートマルチカードを利用したモバイル決済方法を図示したフローチャートである
【図９】図８のＳ５７５段階をさらに詳細に図示したフローチャートである。
【発明を実施するための形態】
【００２４】
以下、添付された図面を参照して本発明の好ましい実施例を詳細に説明する。本発明の利点および特徴、そしてそれらを達成する方法は添付される図面とともに詳細に後述されている実施例を参照すれば明確になるはずである。しかし、本発明は以下で掲示される実施例に限定されるものではなく互いに異なる多様な形態で具現され得、本実施例は本発明の開示を完全にし、本発明が属する技術分野で通常の知識を有した者に発明の範疇を完全に知らせるために提供されるものであり、本発明は請求項の範疇によって定義されるだけである。明細書全体にかけて同一参照符号は同一構成要素を指し示す。 
【００２５】
特に定義されない限り、本明細書で使われるすべての用語（技術および科学的用語を含む）は本発明が属する技術分野で通常の知識を有した者に共通して理解できる意味で使用される。また、一般的に使われる辞書に定義されている用語は特に定義されていない限り、理想的にまたは過度に解釈されない。
【００２６】
本明細書で使われた用語は実施例を説明するためのものであり、本発明を制限しようとするものではない。本明細書で、単数形は特に言及しない限り複数形も含む。明細書で使われる「含む（ｃｏｍｐｒｉｓｅｓ）」および／または 「含む（ｃｏｍｐｒｉｓｉｎｇ）」は言及された構成要素の他に一つ以上の他の構成要素の存在または 追加を排除しない。
【００２７】
以下、添付された図面を参照して本発明の実施例を説明する。図面で同じ図面符号は同じ構成要素を表わす。
【００２８】
図１は本発明の一実施例に係るスマートマルチカード１００を利用したモバイル決済システム１の構成を図示した図面である。
【００２９】
図１を参照すれば、一実施例に係るスマートマルチカード１００を利用したモバイル決済システム１は使用者端末機２００、スマートマルチカード１００、金融機関のサーバー５００およびマーケットサーバー６００を含む。
【００３０】
使用者端末機２００は各種アプリケーションを保存する。例えば、使用者端末機２００は注文アプリケーションおよびカード推薦アプリケーションを保存する。注文アプリケーションは使用者が物品や飲食物を注文できるアプリケーションを意味する。注文アプリケーションは業者別、物品別、飲食物別またはブランド別に存在し得る。このような注文アプリケーションはマーケットサーバー６００により配布され得る。
【００３１】
カード推薦アプリケーションは使用者が自分が所持したスマートマルチカード１００を利用してオフラインモバイル決済やオンラインモバイル決済を遂行しようとする場合、スマートマルチカード１００に保存されているカードのカード情報の中で決済に適合したカードのカード情報を自動で推薦するアプリケーションである。使用者が注文アプリケーションまたはウェブページを通じて所定の物品や飲食物を注文する場合、カード推薦アプリケーションは注文情報を収集し、収集された注文情報に基づいて、決済に最も適合したカードを自動で推薦する。
【００３２】
スマートマルチカード１００は複数のカードに対するカード情報を保存する。既存の金融カードがＩＣチップ（Ｉｎｔｅｇｒａｔｅｄ  Ｃｉｒｃｕｉｔ  ｃｈｉｐ）内に一つのカードに対するカード情報を含んでいるのとは違って、スマートマルチカード１００は一つのＩＣチップ内に複数のカードに対するカード情報を含む。決済に使うカードがカード推薦アプリケーションによって推薦されると、スマートマルチカード１００はＩＣチップ内に保存されている複数のカード情報のうち推薦カードのカード情報をロードする。決済に必要なカード情報は使用者によって選択されることもあれば、使用者端末機２００を通じてなされた注文情報に基づいて自動で選択されることもある。
【００３３】
金融機関のサーバー５００は銀行、カード会社などの金融機関によって運営されるサーバーを意味する。金融機関のサーバー５００は使用者の要請により、使用者にスマートマルチカードを発行することができる。スマートマルチカードを発行する過程で、使用者および ／または金融機関のサーバー５００により使用者認証情報、暗号化キーおよび 復号化キーのうち少なくとも一つが設定され得るが、これらの情報はそれぞれスマートマルチカード１００および 金融機関のサーバー５００に保存され得る。ここで、使用者認証情報とは使用者認証に使われる情報を指しているもので、使用者の身上情報、生体情報、および電子認証情報のうち少なくとも一つを含むことができる。その他にも金融機関のサーバー５００は使用者に発行したスマートマルチカード１００の情報を保存して管理する。
【００３４】
マーケットサーバー６００は販売業者によって運営されるサーバーを意味する。マーケットサーバー６００は多様な販売品に対する販売品情報を保存する。販売品情報としては、販売品名、価格、および賞味期限が挙げられる。また、マーケットサーバー６００は各板売品に対するイベント情報を保存する。イベント情報としては、割引情報、積み立て情報および景品情報が挙げられる。割引情報としては、割引カードの種類、割引率および割引期間が挙げられる。積み立て情報としては、積み立てカードの種類、積み立て率および積み立て期間が挙げられる。前述したような販売品情報およびイベント情報はマーケットサーバー６００のウェブページを通じて掲示されるか、マーケットサーバー６００用注文アプリケーションを通じて提供され得る。使用者は使用者端末機２００を利用してマーケットサーバー６００のウェブページに接続するか注文アプリケーションを実行することができ、ウェブページや注文アプリケーションに掲示されている販売品の中で所望の商品を選択して注文することができる。
【００３５】
図２は本発明の一実施例に係る使用者端末機２００の構成を図示した図面である。
【００３６】
図２を参照すれば、一実施例に係る使用者端末機２００は入力部２１０、出力部２２０、保存部２３０、通信部２４０、電源部２５０および制御部２６０を含む。
【００３７】
入力部２１０は使用者から情報入力を受ける。例えば、使用者情報、スマートマルチカード１００のカード情報、商品注文のための注文情報の入力を受ける。また、入力部２１０は使用者から命令の入力を受ける。例えば、カード推薦アプリケーション実行命令、注文アプリケーション実行命令の入力を受ける。しかし、使用者からの入力情報や命令は例示されたものに限定されない。
【００３８】
使用者から情報および ／または命令の入力を受けるために入力部２１０はキーパッド、タッチパッドおよび タッチパネルなどの入力手段を含む。タッチパネルは抵抗膜方式のタッチパネル、静電容量方式のタッチパネル、超音波方式のタッチパネル、または赤外線方式のタッチパネルを含む。このようなタッチパネルは後述される出力部２２０のディスプレイ２２２に積層されてタッチスクリーン（ｔｏｕｃｈ ｓｃｒｅｅｎ）を構成する。
【００３９】
出力部２２０は命令処理結果を視覚的信号および／または聴覚的信号で出力する。このために出力部２２０は視覚的信号を出力するためのディスプレイ２２２および聴覚的信号を出力するためのスピーカー２２４のうち少なくとも一つを含む。ディスプレイ２２２は平板ディスプレイ（Ｆｌａｔ ｐａｎｅｌ ｄｉｓｐｌａｙ）、軟性ディスプレイ（Ｆｌｅｘｉｂｌｅ ｄｉｓｐｌａｙ）、不透明ディスプレイ、透明ディスプレイ、電子ペーパー（Ｅｌｅｃｔｒｏｎｉｃ ｐａｐｅｒ、Ｅ−ｐａｐｅｒ）、または本発明が属する技術分野で広く知られた任意の形態で提供され得る。
【００４０】
出力部２２０はディスプレイ２２２およびスピーカー２２４の他にも本発明が属する技術分野で広く知られた任意の形態の出力手段をさらに含んで構成することもできる。例えば、振動などの触覚的信号を出力するための振動子、光信号を出力するための発光素子のうち少なくとも一つをさらに含むこともできる。
【００４１】
保存部２３０は非揮発性メモリー、揮発性メモリー、内蔵型メモリー、着脱可能な外装型メモリー、ハードディスク、光ディスク、光磁気ディスク、または本発明が属する技術分野で広く知られた任意の形態のコンピュータ可読記録媒体を含むことができる。外装型メモリーとしては、ＳＤカード（Ｓｅｃｕｒｅ  Ｄｉｇｉｔａｌ  Ｃａｒｄ）、ミニＳＤカード、およびマイクロＳＤカードが挙げられる。
【００４２】
前述したような保存部２３０は注文アプリケーションおよびカード推薦アプリケーションを保存する。保存部２３０に保存されているアプリケーションは持続的に更新される。例えば、新しいアプリケーションは有無線ネットワーク４００を通じてマーケットサーバー６００や金融機関のサーバー５００からダウンロードされ、保存部２３０に保存されていたアプリケーションはダウンロードされた新しいアプリケーションに代替される。
【００４３】
その他にも、保存部２３０は多様なデータを保存する。例えば、金融機関のサーバー５００から受信したデータ、カード推薦アプリケーションによって収集されたデータ、マーケットサーバー６００から受信したデータ、スマートマルチカード１００から受信したデータ、またはこれらの組合わせを保存する。
【００４４】
金融機関のサーバー５００から受信したデータでとしては、使用者認証情報、暗号化キー、復号化キー、またはこれらの組合わせが挙げられる。使用者認証情報は使用者の身上情報、生体情報および電子認証情報のうち少なくとも一つを含むことができる。暗号化キーは使用者端末機２００からスマートマルチカード１００に伝送するデータを暗号化することに使われるキー（ｋｅｙ）を意味し、復号化キーはスマートマルチカード１００で暗号化されて使用者端末機２００に伝送されたデータを解読することに使われるキーを意味する。このような使用者認証情報、暗号化キー、復号化キー、またはこれらの組合わせは金融機関のサーバー５００で使用者端末機２００に対する認証作業が完了する場合、有無線ネットワーク４００を通じて金融機関のサーバー５００からダウンロードされ得る。
【００４５】
使用者端末機２００の保存部２３０に保存された使用者認証情報はスマートマルチカード１００を利用したオンラインモバイル決済時に使用者認証のためのデータとして活用され得る。具体的には、モバイル決済はオフラインモバイル決済およびオンラインモバイル決済を含む。オフラインモバイル決済はスマートマルチカード１００と移動式カード端末機（Ｐｏｉｎｔ Ｏｆ Ｓａｌｅｓ ｔｅｒｍｉｎａｌ）３００間の通信に基づいてなされる決済を意味する。オンラインモバイル決済はスマートマルチカード１００と使用者端末機２００間の通信に基づいてなされる決済を意味する。使用者認証情報の活用に対する具体的な説明は図６および図７を参照して後述する。
【００４６】
カード推薦アプリケーションによって収集されたデータとしては、注文情報が挙げられる。注文情報は使用者がマーケットサーバー６００のウェブページまたは注文アプリケーションを通じて所定商品を注文する場合に生成される情報である。注文情報としては、商品名、商品価格、販売先および販売先の連絡先が挙げられるが、必ずしも例示されたものなどに限定されるものではない。
【００４７】
マーケットサーバー６００から受信したデータとしては、注文情報と関連したイベント情報が挙げられる。イベント情報としては、割引情報、積み立て情報、景品情報、またはこれらの組合わせが挙げられる。
【００４８】
スマートマルチカード１００から受信したデータとしては、暗号化された使用者認証情報、暗号化された推薦カード情報が挙げられる。スマートマルチカード１００はスマートマルチカード１００内に自体保存されている暗号化キーを利用して使用者認証情報や推薦カード情報を暗号化することができる。これに対するさらに具体的な説明は図６および図７を参照して後述する。
【００４９】
通信部２４０は有無線ネットワーク４００を通じて金融機関のサーバー５００、マーケットサーバー６００およびスマートマルチカード１００のうち少なくとも一つと通信する。通信部２４０は有線通信部２４２および無線通信部２４４を含む。無線通信部２４４は一つ以上の無線通信方式を支援する。無線通信方式としてはワイヤレスブロードバンド（Ｗｉｒｅｌｅｓｓ Ｂｒｏａｄｂａｎｄ Ｉｎｔｅｒｎｅｔ）、Ｗｉ−Ｆｉ（ＷｉＦｉ）、ジグビー（登録商標）（ＺｉｇＢｅｅ）、ウルトラワイドバンド（Ｕｌｔｒａ Ｗｉｄｅ Ｂａｎｄ、ＵＷＢ）、ブルートゥース（登録商標）（Ｂｌｕｅｔｏｏｔｈ）、低電力ブルートゥース（Ｂｌｕｅｔｏｏｔｈ Ｌｏｗ Ｅｎｅｒｇｙ、ＢＬＥ）および近距離無線通信（Ｎｅａｒ Ｆｉｅｌｄ Ｃｏｍｍｕｎｉｃａｔｉｏｎ、ＮＦＣ）などが挙げられる。
【００５０】
電源部２５０は使用者端末機２００の各構成要素に電源を供給する。電源部２５０は多様な方式で充電される。一例として、電源部２５０は常用電源（図示されず）と連結されたケーブルを通じて常用電源から電力の供給を受けて充電される。他の例として、電源部２５０は常用電源と電気的に連結された無線充電装置（図示されず）から無線電力伝送技術により電力の供給を受けて充電される。
【００５１】
制御部２６０は使用者端末機２００内の構成要素を互いに連結して制御する。具体的には、カード推薦アプリケーション実行命令が入力されると、制御部２６０は保存部２３０に保存されているカード推薦アプリケーションを駆動する。以後、使用者が所持したスマートマルチカード１００のカード情報が登録されると、制御部２６０は金融機関のサーバー５００にデータを要請する。例えば、使用者認証情報、暗号化キーおよび復号化キーのうち少なくとも一つを要請する。
【００５２】
一方、制御部２６０は暗号化部２６２、復号化部２６４およびカード推薦部２６６のうち少なくとも一つをさらに含むことができる。
【００５３】
制御部２６０の暗号化部２６２は金融機関のサーバー５００から受信した使用者認証情報、暗号化キーおよび復号化キーを保存する。
【００５４】
制御部２６０の復号化部２６４はスマートマルチカード１００から暗号化されたデータが受信される場合、暗号化されたデータを復号化キーを利用して解読する。
【００５５】
制御部２６０のカード推薦部２６６は使用者端末機２００を通じて商品注文がなされた場合、注文情報を収集する。一例として、注文情報は使用者が注文アプリケーションやウェブページを通じて商品を注文する過程で入力したデータを含むことができる。他の例として、注文情報は商品注文が完了した後、使用者端末機２００に受信された注文内訳短文メッセージを含むことができる。注文内訳短文メッセージはマーケットサーバー６００に伝送され得る。
【００５６】
このような方式で注文情報が収集されると、カード推薦部２６６は注文情報と関連したデータをマーケットサーバー６００および金融機関のサーバー５００にそれぞれ要請する。具体的には、カード推薦部２６６は注文情報と関連したイベント情報をマーケットサーバー６００に要請し、スマートマルチカード１００のカード使用実績情報を金融機関のサーバー５００に要請する。
【００５７】
マーケットサーバー６００および 金融機関のサーバー５００からそれぞれイベント情報および カード使用実績情報が受信されると、カード推薦部２６６は受信されたイベント情報、受信されたカード使用実績情報および 既保存されているスマートマルチカード１００のカード情報を分析する。そして、分析結果に基づいて、スマートマルチカード１００に含まれた複数のカードのうち注文情報に最も適合したカードを推薦カードとして選定する。
【００５８】
例えば、スマートマルチカード１００に第１カードのカード情報および第２カードのカード情報が含まれているとする。そして、イベント情報を確認した結果、第１カード、第２カードおよび第３カードの順に割引率が次第に高くなるとする。この場合、カード推薦部２６６は第２カードを推薦カードとして選定する。
【００５９】
もし、イベント情報を確認した結果、第３カードおよび第４カードに対してのみ割引が可能であれば、カード推薦部２６６は第１カードの使用実績情報と第２カードの使用実績情報を比較する。そして、第１カードと第２カードのうち使用実績が高いカードを選択する。または 第１カードの割引率と第２カードの割引率が同じ場合、カード推薦部２６６は週間使用実績、月別使用実績、または 年間使用実績が高いカードを推薦カードとして選定する。このように、使用実績が高いカードを優先的に選択すれば、該当カードの全体的な使用実績を上げることができ、その結果使用者が受ける優待を増やすことができる。
【００６０】
一方、使用者が複数の商品を注文する場合であれば、複数の注文情報が収集される。この場合、カード推薦部２６６はそれぞれの注文情報と関連して、イベント情報およびカード使用実績情報を収集して分析し、各注文情報別に適合した推薦カードを選定する。このような方式で生成された注文情報目録および／または推薦カード目録は出力部２２０のディスプレイ２２２を通じてディスプレーされ得る。
【００６１】
ディスプレイ２２２に表示された注文情報目録のうちいずれか一つの注文情報が選択されると、暗号化部２６２は選択された注文情報に対応する推薦カードのカード情報を暗号化してスマートマルチカード１００に伝送する。この時、暗号化部２６２は推薦カードのカード情報のうち少なくとも一つのカード情報を暗号化する。具体的には、カード情報としては、カード会社、カード番号、有効期間、カードセキュリティーコード（Ｃａｒｄ Ｓｅｃｕｒｉｔｙ Ｃｏｄｅ、Ｃａｒｄ Ｖｅｒｉｆｉｃａｔｉｏｎ Ｃｏｄｅ、Ｃａｒｄ Ｖｅｒｉｆｉｃａｔｉｏｎ Ｖａｌｕｅ）などが挙げられるが、暗号化部２６２は例示されたカード情報の中でカード会社およびカード番号だけを暗号化することもでき、すべてのカード情報を暗号化することもできる。
【００６２】
以上、図２を参照して本発明の一実施例に係る使用者端末機２００について説明した。前述したような使用者端末機２００は使用者が個人的に所持した有無線通信装置であり得る。有無線通信装置としては、パーソナルコンピューター（Ｐｅｒｓｏｎａｌ Ｃｏｍｐｕｔｅｒ；ＰＣ）、セルラーフォン（Ｃｅｌｌｕｌａｒ ｐｈｏｎｅ）、デジタル携帯電話（ＰＣＳ ｐｈｏｎｅ；Ｐｅｒｓｏｎａｌ Ｃｏｍｍｕｎｉｃａｔｉｏｎ Ｓｅｒｖｉｃｅ ｐｈｏｎｅ）、同期式／非同期式ＩＭＴ−２０００（Ｉｎｔｅｒｎａｔｉｏｎａｌ Ｍｏｂｉｌｅ Ｔｅｌｅｃｏｍｍｕｎｉｃａｔｉｏｎ−２０００）の移動端末機、パームＰＣ（Ｐａｌｍ Ｐｅｒｓｏｎａｌ Ｃｏｍｐｕｔｅｒ）、個人用デジタル補助器（ＰＤＡ；Ｐｅｒｓｏｎａｌ Ｄｉｇｉｔａｌ Ａｓｓｉｓｔａｎｔ）、ワップフォン（ＷＡＰ ｐｈｏｎｅ；Ｗｉｒｅｌｅｓｓ Ａｐｐｌｉｃａｔｉｏｎ Ｐｒｏｔｏｃｏｌ ｐｈｏｎｅ）、モバイルゲーム機、スマートフォン（Ｓｍａｒｔ ｐｈｏｎｅ）およびタブレット（ｔａｂｌｅｔ）などが挙げられる。
【００６３】
図３は本発明の一実施例に係るスマートマルチカード１００の構成を図示した図面である。そして、図４は本発明の一実施例に係るスマートマルチカード１００の外観を例示した図面である。
【００６４】
図３および 図４を参照すれば、一実施例に係るスマートマルチカード１００は使用者入力部１１０、ディスプレイ部１２０、保存部１３０、無線通信部１４０、電源部１５０および 制御部１６０を含む。
【００６５】
使用者入力部１１０は使用者から命令の入力を受ける。このために使用者入力部１１０は一つ以上のボタンを含むことができる。図４を参照すれば、使用者入力部１１０が３個のボタン（例えば、２個の方向ボタンと１個の選択ボタン）を含んでいることが分かる。図面に図示してはいないが、少なくとも一つのボタンはキーパッド、キーボード、タッチパッドおよびドームスイッチ（ｄｏｍｅ ｓｗｉｔｃｈ）のうち少なくとも一つに代替することもできる。タッチパッドは後述されるディスプレイ部１２０に積層されてタッチスクリーン（ｔｏｕｃｈ ｓｃｒｅｅｎ）を構成することができる。このようにタッチスクリーンが具現される場合、キーパッドやキーボードはソフトウェア的に具現されてタッチスクリーンを通じて表示されることも可能であり得る。
【００６６】
ディスプレイ部１２０はスマートマルチカード１００で処理される情報を表示する。例えば、スマートマルチカード１００が決済モードである場合、ディスプレイ部１２０は決済に使われるカードのカード情報を表示する。もし、スマートマルチカード１００が積み立てモードである場合、ディスプレイ部１２０は積み立てするカードのバーコードを表示する。その他にもディスプレイ部１２０はスマートマルチカード１００と関連したグラフィックユーザーインターフェースを表示することもできる。
【００６７】
前述した通り、ディスプレイ部１２０にはタッチパッドが積層されてタッチスクリーンを構成することができる。この場合、ディスプレイ部１２０は出力機能および入力機能をすべて有するものと見なすことができる。
【００６８】
保存部１３０はスマートマルチカード１００の動作に必要なデータを保存する。例えば、保存部１３０は複数のカードに対するカード情報をそれぞれ保存する。ここで、カード情報としては、カード会社、カード番号、有効期間、およびカードセキュリティーコード（Ｃａｒｄ Ｓｅｃｕｒｉｔｙ Ｃｏｄｅ、Ｃａｒｄ Ｖｅｒｉｆｉｃａｔｉｏｎ Ｃｏｄｅ、Ｃａｒｄ Ｖｅｒｉｆｉｃａｔｉｏｎ Ｖａｌｕｅ）が挙げられる。複数のカードに対するカード情報は使用者が金融機関を通じてスマートマルチカード１００の発行を受ける過程で保存部１３０に保存される。
【００６９】
その他にも、保存部１３０は使用者認証情報、暗号化キーおよび復号化のうち少なくとも一つを保存する。使用者認証情報、暗号化キーおよび復号化キーは使用者が金融機関を通じてスマートマルチカード１００の発行を受ける過程で保存部１３０に保存される。
【００７０】
前述した保存部１３０はＩＣチップで具現され得る。ＩＣチップ内には演算機能を有するＭＰＵ（Ｍｉｃｒｏ Ｐｒｏｃｅｓｓｏｒ Ｕｎｉｔ）が具備されることもあり得る。このようなＩＣチップの一部は図４に図示された通り、スマートマルチカード１００の外部に露出される。露出した部分は固定式カード端末機（図示されず）または移動式カード端末機３００に物理的に接触され得、物理的に接触した部分を通じて決済が進行され得る。
【００７１】
無線通信部１４０は使用者端末機２００と通信することができる。無線通信部１４０は一つ以上の無線通信方式を支援することができる。無線通信方式としてはワイヤレスブロードバンド（Ｗｉｒｅｌｅｓｓ Ｂｒｏａｄｂａｎｄ Ｉｎｔｅｒｎｅｔ）、Ｗｉ−Ｆｉ（ＷｉＦｉ）、ジグビー（ＺｉｇＢｅｅ）、ウルトラワイドバンド（Ｕｌｔｒａ Ｗｉｄｅ Ｂａｎｄ、ＵＷＢ）、ブルートゥース（Ｂｌｕｅｔｏｏｔｈ）、低電力ブルートゥース（Ｂｌｕｅｔｏｏｔｈ Ｌｏｗ Ｅｎｅｒｇｙ、ＢＬＥ）および近距離無線通信（Ｎｅａｒ Ｆｉｅｌｄ Ｃｏｍｍｕｎｉｃａｔｉｏｎ、ＮＦＣ）が挙げられるが、例示されたものに限定されない。
【００７２】
電源部１５０はスマートマルチカード１００内の各構成要素に電源を供給する。電源部１５０はバッテリーを含むことができる。バッテリーは使用電源と電気的に連結された無線充電装置（図示されず）から無線電力伝送技術により電力の供給を受けて充電され得る。他の例として、バッテリーはスマートマルチカード１００から物理的に分離され、分離されたバッテリーは新しいバッテリーに取り替えられ得る。
【００７３】
制御部１６０はスマートマルチカード１００内の各構成要素を互いに連結して制御する。例えば、制御部１６０は使用者入力部１１０を通じて入力された命令の種類を判断し、入力された命令に対応する動作を遂行する。具体的には、使用者入力部１１０を電源供給命令が入力されると、制御部１６０は各構成要素に電源が供給されるようにし、電源供給終了命令が入力されると、各構成要素への電源供給を中断する。もし、使用者入力部１１０を通じて活性化命令が入力されると、制御部１１０は特定構成要素例えば、無線通信部１４０を活性化させる。反対に使用者入力部１１０を通じて非活性化命令が入力されると、制御部１６０は活性化した構成要素を非活性化させる。以上の説明では電源供給命令と活性化命令を区分して説明したが、電源供給命令と活性化命令は一つに統合されることもある。すなわち、電源供給命令が入力されると、各構成要素に電源が供給されるとともに活性化され得る。
【００７４】
一方、制御部１６０は暗号化部１６２および復号化部１６４のうち少なくとも一つをさらに含むことができる。暗号化部１６２は使用者端末機２００に伝送するデータを既保存された暗号化キーを利用して暗号化する。復号化部１６４は使用者端末機２００から暗号化されたデータが受信される場合、暗号化されたデータを既保存された復号化キーを利用して解読する。
【００７５】
図５および図６は本発明の一実施例に係るスマートマルチカード１００を利用したモバイル決済方法を図示したフローチャートである。具体的には、図５はスマートマルチカード１００と移動式カード端末機３００間になされるオフラインモバイル決済方法を図示したフローチャートである。
【００７６】
説明に先立って、使用者は金融機関を通じてスマートマルチカード１００の発行を受けた状態であることを仮定する。また、スマートマルチカード１００の発行を受ける時には、使用者認証情報、暗号化キーおよび 復号化キーのうち少なくとも一つが指定され得るが、指定された使用者認証情報、暗号化キーおよび 復号化キーは金融機関のサーバー５００および スマートマルチカード１００にそれぞれ保存された状態であることを仮定する。また、使用者端末機２００にはカード推薦アプリケーションおよび注文アプリケーションが設置された状態であることを仮定する。
【００７７】
このような状態でカード推薦アプリケーション実行命令が入力されると、使用者端末機２００はカード推薦アプリケーションを駆動する（Ｓ３００）。
【００７８】
その後、スマートマルチカード１００のカード情報が登録されると（Ｓ３０５）、使用者端末機２００はカード情報に基づいて金融機関のサーバー２００にデータを要請する（Ｓ３１０）。例えば、使用者認証情報、暗号化キーおよび復号化キーのうち少なくとも一つを金融機関のサーバー５００に要請する。
【００７９】
金融機関のサーバー２００からデータが受信されると（Ｓ３１５）、使用者端末機２００は受信されたデータを保存部２３０に保存し、駆動中であるカード推薦アプリケーションの動作モードをバックグラウンド動作モードに切り替える（Ｓ３２０）。
【００８０】
その後、使用者が注文アプリケーションまたはウェブページなどを通して所定商品を注文すると、使用者端末機２００は注文情報を収集する（Ｓ３２５）。この時、注文情報は使用者が注文アプリケーションやウェブページを通じて商品を注文する過程で入力したデータを含むことができる。他の例として、注文情報は商品注文後、使用者端末機２００に受信された注文内訳短文メッセージを含むことができる。
【００８１】
その後、使用者端末機２００は収集された注文情報と関連したデータを金融機関のサーバー５００およびマーケットサーバー６００にそれぞれ要請する（Ｓ３３０）。例えば、使用者端末機２００は注文情報と関連したイベント情報をマーケットサーバー６００に要請し、スマートマルチカード１００に含まれたカードのカード使用実績情報を金融機関のサーバー５００に要請する。
【００８２】
マーケットサーバー６００および 金融機関のサーバー５００はそれぞれイベント情報および カード使用実績情報を使用者端末機２００に伝送する（Ｓ３３５）。
【００８３】
その後、使用者端末機２００はマーケットサーバー６００から受信したイベント情報、金融機関のサーバー５００から受信したカード使用実績情報および既登録されたスマートマルチカード１００のカード情報のうち少なくとも一つを分析する。そして、分析結果に基づいて、スマートマルチカード１００に含まれた複数のカードのうち注文情報に最も適合したカードを推薦カードとして選定する（Ｓ３４０）。実施例によれば、前記Ｓ３４０段階はスマートマルチカード１００に含まれた複数個のカードのうち割引率が最も高いカードを推薦カードとして選定する段階と、スマートマルチカード１００に含まれた複数個のカードのうち割引できるカードがないか割引率が同じカードが複数存在する場合、カード使用実績が高いカードを推薦カードとして選定する段階を含むことができる。
【００８４】
一方、Ｓ３２５段階で収集された注文情報が複数である場合、各注文情報別に推薦カードが選定される。このような方式で獲得された注文情報目録および推薦カード目録は使用者端末機２００のディスプレイ２２２を通じて表示される（Ｓ３４５）。使用者は表示された注文情報目録のうち所定注文情報を選択することができる（Ｓ３５０）。
【００８５】
一方、スマートマルチカード１００は使用者入力部１１０を通じて入力された命令により活性化された後（Ｓ３５５）、使用者端末機２００に推薦カードのカード情報を要請する（Ｓ３６０）。その結果、使用者端末機２００は前記Ｓ３５０段階で選択された注文情報に対応する推薦カードのカード情報を暗号化キーを利用して暗号化した後、暗号化された推薦カードのカード情報をスマートマルチカード１００に伝送する（Ｓ３６５）。
【００８６】
スマートマルチカード１００は暗号化された推薦カードのカード情報を復号化キーを利用して解読した後、復号化された推薦カードのカード情報をロードする（Ｓ３７０）。
【００８７】
このような状態で移動式カード端末機３００とスマートマルチカード１００が接触すると、移動式カード端末機３００は決済に使うカード情報をスマートマルチカード１００に要請する（Ｓ３７５）。その結果、スマートマルチカード１００はロードされた推薦カードのカード情報を移動式カード端末機３００に伝送する（Ｓ３８０）。
【００８８】
その後、移動式カード端末機３００は受信した推薦カードのカード情報に基づいて、決済処理を遂行する（Ｓ３８５）。具体的には、移動式カード端末機３００は金融機関のサーバー５００に決済要請信号を伝送し、決済処理結果を金融機関のサーバー５００から受信する。
【００８９】
図７および図８は 本発明の他の実施例に係るスマートマルチカード１００を利用したモバイル決済方法を図示したフローチャートである。具体的には、図６はスマートマルチカード１００と使用者端末機２００間になされるオンラインモバイル決済方法を図示したフローチャートである。
【００９０】
説明に先立って、使用者は金融機関を通じてスマートマルチカード１００の発行を受けた状態であることを仮定する。また、スマートマルチカード１００の発行を受ける時には、使用者認証情報、暗号化キーおよび 復号化キーのうち少なくとも一つが指定され得るが、指定された使用者認証情報、暗号化キーおよび 復号化キーは金融機関のサーバー５００および スマートマルチカード１００にそれぞれ保存された状態であることを仮定する。また、使用者端末機２００にはカード推薦アプリケーションおよび注文アプリケーションが設置された状態であることを仮定する。
【００９１】
このような状態でカード推薦アプリケーション実行命令が入力されると、使用者端末機２００はカード推薦アプリケーションを駆動する（Ｓ５００）。
【００９２】
その後、スマートマルチカード１００のカード情報が登録されると（Ｓ５０５）、使用者端末機２００はカード情報に基づいて金融機関のサーバー５００にデータを要請する（Ｓ５１０）。例えば、使用者認証情報、暗号化キーおよび復号化キーのうち少なくとも一つを金融機関のサーバー５００に要請する。
【００９３】
金融機関のサーバー５００からデータが受信されると（Ｓ５１５）、使用者端末機２００は受信したデータを保存部２３０に保存し、駆動中であるカード推薦アプリケーションの動作モードをバックグラウンド動作モードに切り替える（Ｓ５２０）。
【００９４】
その後、使用者が注文アプリケーションまたはウェブページなどを通して所定商品を注文すると、使用者端末機２００は注文情報を収集する（Ｓ５２５）。この時、注文情報は使用者が注文アプリケーションやウェブページを通じて商品を注文する過程で入力したデータを含むことができる。他の例として、注文情報は商品注文後、使用者端末機２００に受信された注文内訳短文メッセージを含むことができる。
【００９５】
その後、使用者端末機２００は収集された注文情報と関連したデータを金融機関のサーバー５００およびマーケットサーバー６００にそれぞれ要請する（Ｓ５３０）。例えば、使用者端末機２００は注文情報と関連したイベント情報をマーケットサーバー６００に要請し、スマートマルチカード１００に含まれたカードのカード使用実績情報を金融機関のサーバー５００に要請する。
【００９６】
マーケットサーバー６００および 金融機関のサーバー５００はそれぞれイベント情報および カード使用実績情報を使用者端末機２００に伝送する（Ｓ５３５）。
【００９７】
その後、使用者端末機２００はマーケットサーバー６００から受信したイベント情報、金融機関のサーバー５００から受信したカード使用実績情報および既登録されたスマートマルチカード１００のカード情報のうち少なくとも一つを分析する。そして、分析結果に基づいて、スマートマルチカード１００に含まれた複数のカードのうち注文情報に最も適合したカードを推薦カードとして選定する（Ｓ５４０）。実施例によれば、前記Ｓ５４０段階はスマートマルチカード１００に含まれた複数個のカードのうち割引率が最も高いカードを推薦カードとして選定する段階と、スマートマルチカード１００に含まれた複数個のカードのうち割引できるカードがないか割引率が同じカードが複数存在する場合、カード使用実績が高いカードを推薦カードとして選定する段階を含むことができる。
【００９８】
一方、Ｓ５２５段階で収集された注文情報が複数である場合、各注文情報別に推薦カードが選定される。このような方式で獲得された注文情報目録および推薦カード目録は使用者端末機２００のディスプレイ２２２を通じて表示される（Ｓ５４５）。使用者は表示された注文情報目録のうち所定注文情報を選択することができる（Ｓ５５０）。
【００９９】
一方、スマートマルチカード１００は使用者入力部１１０を通じて入力された命令により活性化された後（Ｓ５５５）、使用者端末機２００に推薦カードのカード情報を要請する（Ｓ５６０）。その結果、使用者端末機２００は前記Ｓ５５０段階で選択された注文情報に対応する推薦カードのカード情報を暗号化キーで暗号化し、暗号化された推薦カードのカード情報をスマートマルチカード１００に伝送する（Ｓ５６５）。
【０１００】
スマートマルチカード１００は暗号化された推薦カードのカード情報を復号化キーを利用して解読した後、復号化された推薦カードのカード情報をロードする（Ｓ５７０）。
【０１０１】
その後、使用者端末機２００はスマートマルチカード１００との通信のための無線通信方式を決定する（Ｓ５７５）。前記Ｓ５７５段階に対するさらに具体的な説明は図７を参照して後述する。
【０１０２】
スマートマルチカード１００との通信のための無線通信方式が決定されると、使用者端末機２００はスマートマルチカード１００に使用者認証情報を要請する（Ｓ５８０）。そうすると、スマートマルチカード１００は既保存された暗号化キーを利用して既保存された使用者認証情報を暗号化し、暗号化された使用者認証情報を使用者端末機２００に伝送する（Ｓ５８５）。
【０１０３】
使用者端末機２００はスマートマルチカード１００から受信した暗号化された使用者認証情報と既保存された使用者認証情報に基づいて使用者認証を遂行する（Ｓ５９０）。前記Ｓ５９０段階は暗号化された使用者認証情報を既保存された復号化キーを利用して解読する段階、復号化に失敗するか復号化された使用者認証情報と既保存された使用者認証情報が一致しない場合、使用者認証に失敗したと判断する段階、復号化された使用者認証情報と既保存された使用者認証情報が一致する場合、使用者認証に成功したと判断する段階を含むことができる。
【０１０４】
使用者認証に成功した場合、使用者端末機２００は決済に使うカードのカード情報をスマートマルチカード１００に要請する（Ｓ５９５）。そうすると、スマートマルチカード１００はロードされた推薦カードのカード情報を既保存された暗号化キーを利用して暗号化し（Ｓ６００）、暗号化された推薦カードのカード情報を使用者端末機２００に伝送する（Ｓ６０５）。
【０１０５】
その後、使用者端末機２００はスマートマルチカード１００から受信した暗号化された推薦カードのカード情報に基づいて決済処理を遂行する（Ｓ６１０）。具体的には、使用者端末機２００は暗号化された推薦カードのカード情報を既保存された復号化キーを利用して解読し、復号化された推薦カードのカード情報に基づいて決済要請信号を生成した後、生成された決済要請信号を金融機関のサーバー５００に伝送する。そして、決済処理結果を金融機関のサーバー５００から受信する。
【０１０６】
図９は図８のＳ５７５段階をさらに詳細に図示したフローチャートである。
【０１０７】
まず、使用者端末機２００は使用者端末機２００の無線通信方式のうちブルートゥースが活性化状態であるかを判断する（Ｓ５７５＿１）。
【０１０８】
前記Ｓ５７５＿１段階の判断結果、ブルートゥースが活性化状態である場合、使用者端末機２００はスマートマルチカード１００から受信した無線信号の強度に基づいて、スマートマルチカード１００との距離を計算する（Ｓ５７５＿２）。
【０１０９】
その後、計算された距離が基準距離以内であるかを判断する（Ｓ５７５＿３）。基準距離は１〜１０ｃｍ範囲内の値で設定され得る。例えば、基準距離は５ｃｍで設定され得る。設定された基準距離値は使用者によって変更可能であるように具現され得る。具体的には、カード推薦アプリケーションは基準距離を設定できるメニューを含むことができ、使用者はこのメニューを通じて基準距離値を設定するか、既設定されている基準距離値を変更することができる。
【０１１０】
一方、Ｓ５７５＿３段階の判断結果、スマートマルチカード１００と使用者端末機２００間の距離が基準距離以内である場合、使用者端末機２００はブルートゥースを活性化状態に維持する（Ｓ５７５＿４）。その結果、使用者端末機２００とスマートマルチカード１００間にはブルートゥース方式によりデータが送受信される。
【０１１１】
もし、Ｓ５７５＿３段階の判断結果、スマートマルチカード１００と使用者端末機２００間の距離が基準距離を超過する場合、使用者端末機２００はブルートゥースを非活性化させ、ＮＦＣを活性化させる（Ｓ５７５＿５）。その結果、使用者端末機２００とスマートマルチカード１００間にはＮＦＣ方式によりデータが送受信される。
【０１１２】
以上で本発明の実施例を説明した。前述した実施例に加えて、本発明の実施例は前述した実施例の少なくとも一つの処理要素を制御するためのコンピュータ判読可能なコード／命令を含む媒体例えば、コンピュータ判読可能な媒体を通じて具現されることもできる。前記媒体は前記コンピュータ判読可能なコードの保存および／または伝送を可能にする媒体／媒体らに対応することができる。
【０１１３】
前記コンピュータ判読可能なコードは、媒体に記録できるだけでなく、インターネットを通じて伝送されることもできるが、前記媒体は例えば、マグネチック保存媒体（例えば、ＲＯＭ、フロッピー（登録商標）ディスク、ハードディスクなど）および光学記録媒体（例えば、ＣＤ−ＲＯＭ、Ｂｌｕ−Ｒａｙ（登録商標）、ＤＶＤ）のような記録媒体、搬送波（ｃａｒｒｉｅｒ  ｗａｖｅ）のような伝送媒体を含むことができる。前記媒体は分散ネットワークである可能性もあるので、コンピュータ可読コードは分散方式で保存／伝送され実行され得る。ひいては、単に一例として、処理要素はプロセッサまたは コンピュータプロセッサを含むことができ、前記処理要素は一つのデバイス内に分散および／または 含まれ得る。
【０１１４】
以上、添付された図面を参照して本発明の実施例を説明したが、本発明が属する技術分野で通常の知識を有した者は本発明がその技術的思想や必須の特徴を変更することなく他の具体的な形態で実施できることが理解できるはずである。したがって、以上で記述した実施例はすべての面で例示的なものであり、限定的なものではないと理解されるべきである。
【図１】
2017535885.tif 000003
【図２】
2017535885.tif 000004
【図３】
2017535885.tif 000005
【図４】
2017535885.tif 000006
【図５】
2017535885.tif 000007
【図６】
2017535885.tif 000008
【図７】
2017535885.tif 000009
【図８】
2017535885.tif 000010
【図９】
2017535885.tif 000011
【国際調査報告】
2017535885.tif 000012
2017535885.tif 000013
2017535885.tif 000014
2017535885.tif 000015